(57)【特許請求の範囲】
【請求項１】
作業装置と、この作業装置が取り付けられる車体と、この車体上に設けられる運転室と、この運転室内に配置される運転シートとを有する作業機械に備えられ、
上記運転室内に配置された空調装置と、この空調装置で生成された風を導くダクトと、このダクトに接続され、上記運転シートに座ったオペレータに対して、上記ダクトによって導かれた風を吹き出す吹き出し口とを有する作業機械のダクト配設構造において、
上記吹き出し口が、上記運転シートに座った上記オペレータの上半身に向かって、上記ダクトによって導かれた風を吹き出す上半身用吹き出し口と、上記運転シートに座った上記オペレータの膝下部分に向かって、上記ダクトによって導かれた風を吹き出す膝下用吹き出し口と、上記運転シートに座った上記オペレータの顔面に向って、上記ダクトによって導かれた風を吹き出す顔面用吹き出し口とを含み、
上記上半身用吹き出し口、上記膝下用吹き出し口が上記顔面用吹き出し口よりも上記運転シートに近い位置に位置するように、上記上半身用吹き出し口、上記膝下用吹き出し口、及び上記顔面用吹き出し口を、上記運転シートの右前の上記運転室内の右前隅部付近に配置し、
上記上半身用吹き出し口、上記膝下用吹き出し口が上記顔面用吹き出し口よりも上記運転シートに近い位置に位置するように、上半身用吹き出し口、上記膝下用吹き出し口、及び上記顔面用吹き出し口が設けられるカバーを備え、上記カバーを上記運転室内の右前隅部付近に配置し、
上記カバー内に、上記上半身用吹き出し口が設けられる第１グリルと、この第１グリルよりも下方に配置され、上記膝下用吹き出し口が設けられる第２グリルと、これらの第１グリルと第２グリルに、上記ダクトによって導かれた風を導くと共に、上記カバー内に形成された穴に挿入される円筒部とを収納させ、
上記第１グリルと上記第２グリルと上記円筒部とを一体に設けたことを特徴とする作業機械のダクト配設構造。
【発明の詳細な説明】
【技術分野】
【０００１】
本発明は、油圧ショベル等の作業機械に備えられ、運転シートに座ったオペレータに対して、空調装置で生成した風を吹き出す吹き出し口を有する作業機械のダクト配設構造に関する。
【背景技術】
【０００２】
この種のダクト配設構造の従来技術として、特許文献１に示されるものがある。この従来技術は、運転室内に配置された空調装置と、この空調装置で生成させた風を導くダクトと、このダクトに接続され、運転シートに座ったオペレータに対して風を吹き出す吹き出し口とを有している。この吹き出し口は、運転シートの後部上方に向かって風を吹き出す吹き出し口と、前面ガラスに向かって風を吹き出す吹き出し口と、運転シートに座ったオペレータの顔面あるいは上半身に向かって風を吹き出す吹き出し口と、運転シートの床に沿って、あるいは運転シートに座ったオペレータの足元付近に風を吹き出す吹き出し口とから成っている。
【先行技術文献】
【特許文献】
【０００３】
【特許文献１】特開平８−１７５１５６号公報
【発明の概要】
【発明が解決しようとする課題】
【０００４】
上述した従来技術にあっては、空調装置で生成させた冷風をダクトによって導き、その冷風を運転シートに座ったオペレータに向かって吹き出させる場合に不具合を生じていた。すなわち従来技術では、運転シートに座ったオペレータの膝下の脚部に対しては冷風が与えられず、熱暑における作業時等においてオペレータに不快感を与えやすかった。これに伴って、当該作業機械に備えられる作業装置で実施される作業の能率の低下を招く懸念があった。
【０００５】
本発明は、上述した従来技術における実状からなされたもので、その目的は、熱暑時等における作業に際して、運転シートに座ったオペレータに対する快適な空調を実現させることができる作業機械のダクト配設構造を提供することにある。
【課題を解決するための手段】
【０００６】
この目的を達成するために、本発明は、作業装置と、この作業装置が取り付けられる車体と、この車体上に設けられる運転室と、この運転室内に配置される運転シートとを有する作業機械に備えられ、上記運転室内に配置された空調装置と、この空調装置で生成された風を導くダクトと、このダクトに接続され、上記運転シートに座ったオペレータに対して、上記ダクトによって導かれた風を吹き出す吹き出し口とを有する作業機械のダクト配設構造において、上記吹き出し口が、上記運転シートに座った上記オペレータの上半身に向かって、上記ダクトによって導かれた風を吹き出す上半身用吹き出し口と、上記運転シートに座った上記オペレータの膝下部分に向かって、上記ダクトによって導かれた風を吹き出す膝下用吹き出し口と、上記運転シートに座った上記オペレータの顔面に向って、上記ダクトによって導かれた風を吹き出す顔面用吹き出し口とを含み、上記上半身用吹き出し口、上記膝下用吹き出し口が上記顔面用吹き出し口よりも上記運転シートに近い位置に位置するように、上記上半身用吹き出し口、上記膝下用吹き出し口、及び上記顔面用吹き出し口を、上記運転シートの右前の上記運転室内の右前隅部付近に配置し、上記上半身用吹き出し口、上記膝下用吹き出し口が上記顔面用吹き出し口よりも上記運転シートに近い位置に位置するように、上半身用吹き出し口、上記膝下用吹き出し口、及び上記顔面用吹き出し口が設けられるカバーを備え、上記カバーを上記運転室内の右前隅部付近に配置し、上記カバー内に、上記上半身用吹き出し口が設けられる第１グリルと、この第１グリルよりも下方に配置され、上記膝下用吹き出し口が設けられる第２グリルと、これらの第１グリルと第２グリルに、上記ダクトによって導かれた風を導くと共に、上記カバー内に形成された穴に挿入される円筒部とを収納させ、上記第１グリルと上記第２グリルと上記円筒部とを一体に設けたことを特徴としている。
【０００７】
このように構成した本発明は、空調装置で生成した風をダクトによって導き、このように導かれた風を上半身用吹き出し口と膝下用吹き出し口の双方から運転シートに座ったオペレータに向かって吹き出させることができる。したがって、運転シートに座ったオペレータは、上半身とともに膝下部分にも風が与えられる。このようにして本発明は作業に際して、運転シートに座ったオペレータに対する快適な空調を実現させることができる。また本発明は、運転シートに座ったオペレータの顔面にもダクトによって導かれた風を与えることができる。すなわち、運転シートに座ったオペレータの全身に対してダクトによって導かれた風を与えることができる。また、顔面用吹き出し口と、上半身用吹き出し口及び膝下用吹き出し口を運転室内の右前隅部付近に配置したことから、運転シートの右前部分に、空調装置で生成した風を導くダクトが露出せず、優れた美観を確保することができる。また本発明は、上半身用吹き出し口が設けられる第１グリルと、膝下用吹き出し口が設けられる第２グリルと、カバーの穴に挿入される円筒部とを一体に設けたことから、運転室内の右前隅部付近に上半身用吹き出し口と膝下用吹き出し口を配置する際の組み込み作業を比較的容易に行うことができる。
【発明の効果】
【００１４】
本発明は、空調装置で生成され、ダクトによって導かれた風を、運転シートに座ったオペレータに向かって吹き出す吹き出し口が、運転シートに座ったオペレータの上半身に向かって風を吹き出す上半身用吹き出し口と、運転シートに座ったオペレータの膝下に向かって風を吹き出す膝下用吹き出し口と、運転シートに座ったオペレータの顔面に向って風を吹き出す顔面用吹き出し口とを含む構成にしてある。これにより本発明は、運転シートに座ったオペレータの顔面、上半身及び膝下部分を含む全身に風を与えることができる。すなわち、当該作業機械に備えられた作業装置で実施される作業に際して、運転シートに座ったオペレータに対する快適な空調を実現させることができ、作業の能率を従来よりも向上させることができる。
【図面の簡単な説明】
【００１５】
【図１】本発明のダクト配設構造の一実施形態が備えられる作業機械の一例として挙げた油圧ショベルを示す側面図である。
【図２】図１に示す油圧ショベルに備えられる運転室を模式的に示した側面図である。
【図３】図１に示す油圧ショベルに備えられる運転室を模式的に示した平面図である。
【図４】本実施形態に係るダクト配設構造の要部を示す斜視図である。
【発明を実施するための形態】
【００１６】
以下、本発明に係る作業機械のダクト配設構造の実施の形態を図に基づいて説明する。
【００１７】
図１は本発明のダクト配設構造の一実施形態が備えられる作業機械の一例として挙げた油圧ショベルを示す側面図である。
【００１８】
この図に示すように、油圧ショベルは、走行体１と、この走行体１上に配置される旋回体２とを備えている。これらの走行体１と旋回体２とによって当該油圧ショベルの車体が構成されている。旋回体２には、土砂の掘削作業等を行う作業装置３を取り付けてある。この作業装置３は、旋回体２に上下方向の回動可能に取り付けられるブーム３ａと、このブーム３ａの先端に上下方向の回動可能に取り付けられるアーム３ｂと、このアーム３ｂの先端に上下方向の回動可能に取り付けられるバケット３ｃとを含んでいる。旋回体２の前側位置には運転室４を配置してあり、後側位置には重量バランスを確保するカウンタウエイト５を配置してある。旋回体２上の運転室４とカウンタウエイト５との間には、エンジン及び油圧ポンプ等が収容されるエンジン室６を配置してある。
【００１９】
図２，３は図１に示す油圧ショベルに備えられる運転室を模式的に示した図で、図２は側面図、図３は平面図である。
【００２０】
運転室４内には、オペレータ１０が座る運転シート１１を配置してあり、運転シート１１の両脇には、作業装置３を操作する操作レバー１７，１８を保持するコンソール１９，２０を配置してある。また、運転シート１１の前方の床上には、走行体１を走行させる走行ペダル２１，２２、及びフットレスト２３，２４を配置してある。
【００２１】
運転シート１１の後側に位置する運転室４内には、リアカバー１２が配置され、このリアカバー１２内の下方位置には空調装置１３を収納してある。リアカバー１２の上面には、空調装置１３で生成した風、例えば冷風を運転室４の天井方向に向かって吹き出す吹き出し口１４，１５，１６を形成してある。
【００２２】
本実施形態は、図３に示すように、空調装置１３に接続され、運転室４の床の右側隅部に沿って延設されるダクト２８を備えている。また図２に示すように、空調装置１３で生成され、ダクト２８によって導かれた風、例えば冷風を、運転シート１１に座ったオペレータ１０に対して吹き出す吹き出し口を備えている。
【００２３】
この吹き出し口は、図２の矢印２６ａで示すように、運転シート１１に座ったオペレータ１０の顔面１０ａに向かって、ダクト２８によって導かれた冷風を吹き出す顔面用吹き出し口２６を含んでいる。この顔面用吹き出し口２６は、例えば鉛直軸を中心にして回動可能に設けてある。寒冷時等にあって運転室４の前面ガラスに霜が付着した場合などには、この顔面用吹き出し口２６を運転室４の前面ガラスに向けるように回動させて、温風を吹き出すことにより前面ガラスに付着した霜を除去することができる。すなわち、この顔面用吹き出し口２６は、デフロスターも兼ねている。
【００２４】
また本実施形態は、ダクト２８に接続される別の吹き出し口として、運転シート１１に座ったオペレータ１０の上半身１０ｂに向かって、ダクト２８によって導かれた冷風を図２の矢印３１ａで示すように吹き出す上半身用吹き出し口３１と、運転シート１１に座ったオペレータ１０の膝下部分１０ｃに向かって、ダクト２８によって導かれた冷風を図２の矢印３２ａ、及び図３の領域３２ｂで示すように吹き出す膝下用吹き出し口３２とを備えている。
【００２５】
図２，３に示すように、顔面用吹き出し口２６と、上半身用吹き出し口３１及び膝下用吹き出し口３２とは、運転シート１１に座ったオペレータ１０の作業中に想定される視界限界、すなわちアイポイント３３から外れた位置であって、運転シート１１の右前の運転室４内の右前隅部３４付近に配置してある。
【００２６】
また本実施形態は、図２，３に示すように、顔面用吹き出し口２６と、各種作業関連情報等が表示されるモニタ２７とが上面に設けられた右前カバー２５と、この右前カバー２５に連設され、上半身用吹き出し口３１と膝下用吹き出し口３２を形成させる補助カバー３０とを備えている。これらの右前カバー２５と補助カバー３０を、図３に示すように、運転室４内の右前隅部３４付近に配置し、補助カバー３０を視界限界すなわちアイポイント３３に近い側に位置させ、右前カバー２５をアイポイント３３から遠い側に位置させてある。また、図３，４に示すように、上半身用吹き出し口３１、膝下用吹き出し口３２を、顔面用吹き出し口２６よりも運転シート１１に近い位置に位置させてある。また、図２に示すように、例えば補助カバー３０の高さ寸法を、右前カバー２５の高さ寸法よりも低い寸法に設定してある。
【００２７】
補助カバー３０内には、図４に示すように、上半身用吹き出し口３１が設けられる第１グリル３８と、この第１グリル３８よりも下方に配置され、膝下用吹き出し口３２が設けられる第２グリル４２と、これらの第１グリル３８と第２グリル４２に、上述したダクト２８によって導かれた冷風を導くとともに、右前カバー２５のアイポイント３３側の側面に形成された図示しない穴に挿入される円筒部４３とを収納させてある。第１グリル３８と第２グリル４２と円筒部４３とは一体に設けてある。
【００２８】
同図４に示すように、第１グリル３８は、円筒部４３に接続され、上半身用吹き出し口３１を有する第１グリルケース３５と、この第１グリルケース３５に保持されて上半身用吹き出し口３１に配置され、縦方向に複数配列されて図示しないリンク機構を介し上下方向、及び左右方向に回動可能な第１フィン３６と、これらの第１フィン３６のうちの所定のフィンに固定され、複数の第１フィン３６を上下方向、及び左右方向に回動させる１つの第１摘み３７とを有している。
【００２９】
同様に、第２グリル４２も、円筒部４３に接続され、膝下用吹き出し口３２を有する第２グリルケース３９と、この第２グリルケース３９に保持されて膝下用吹き出し口３２に配置され、縦方向に複数配列されて図示しないリンク機構を介し上下方向、及び左右方向に回動可能な第２フィン４０と、これらの第２フィン４０のうちの所定のフィンに固定され、複数の第２フィン４０を上下方向、及び左右方向に回動させる１つの第２摘み４１とを有している。
【００３０】
同図４に示すように、第２グリル４２の第２グリルケース３９は、例えば第１グリル３８の第１グリルケース３５の長さ寸法よりも短い寸法に、また、第１グリルケース３５の幅寸法よりも大きな幅寸法に設定してある。このように第１グリル３８と第２グリル４２の形状を設定したことにより、例えば第１グリル３８の上半身用吹き出し口３１から吹き出される風量と、第２グリル４２の膝下用吹き出し口３２から吹き出される風量とは略同等の風量となっている。
【００３１】
このように構成した本実施形態は、空調装置１３で生成した風、例えば冷風がダクト２８によって導かれ、右前カバー２５の上面の顔面用吹き出し口２６から吹き出された冷風が、運転シート１１に座ったオペレータ１０の顔面１０ａに与えられる。また、上述のようにダクト２８によって導かれ、図４に示す円筒部４３から第１グリル３８に導かれ、上半身用吹き出し口３１から吹き出された冷風が、図２の矢印３１ａに示すように、運転シート１１に座ったオペレータ１０の上半身１０ｂに与えられる。また、上述のようにダクト２８によって導かれ、図４に示す円筒部４３から第２グリル４２に導かれ、膝下用吹き出し口３２から吹き出された冷風が、図２の矢印３２ａ、及び図３の領域３２ｂに示すように、運転シート１１に座ったオペレータ１０の膝下部分１０ｃに与えられる。
【００３２】
したがって、運転シート１１に座ったオペレータ１０には、顔面１０ａを含む上半身１０ｂ、及び膝下部分１０ｃの全身に空調装置１３で生成した冷風が与えられる。すなわち本実施形態は、当該油圧ショベルの作業装置３で実施される熱暑時等における作業に際して、運転シート１１に座ったオペレータ１０に対する快適な空調を実現させることができ、熱暑時等における作業の能率を向上させることができる。
【００３３】
また本実施形態は、顔面用吹き出し口２６が設けられた右前カバー２５と、上半身吹き出し口３１及び膝下用吹き出し口３２が設けられた補助カバー３０とを、運転室４内の右前隅部３４のオペレータ１０の作業時に想定される視界限界すなわちアイポイント３０から外れた位置に配置してある。この構成により、油圧ショベルの作業装置３によって実施される作業中に、顔面用吹き出し口２６と、上半身用吹き出し口３１及び膝下用吹き出し口３２とが、運転シート１１に座ったオペレータ１０の視界に入らず、円滑な作業を実施することができる。これにより、作業能率の向上に貢献する。
【００３４】
また本実施形態は、顔面用吹き出し口２６が設けられる右前カバー２５と、上半身用吹き出し口３１及び膝下用吹き出し口３２が設けられる補助カバー３０とを運転室４内の右前隅部３４に連設させて配置したことから、運転シート１１の右前方部分に空調装置１３で生成した冷風を導くダクトが露出せず、優れた美観を確保することができる。
【００３５】
また本実施形態は、補助カバー３０内に、上半身用吹き出し口３１が設けられる第１グリル３８と、膝下用吹き出し口３２が設けられる第２グリル４２と、これらの第１，第２グリル３８，４２に接続されるとともに、ダクト２８に接続される円筒部４３とを一体に設けた構成にしてある。これにより、運転室４の右前隅部３４に、上半身用吹き出し口３１と膝下用吹き出し口３２を配置する際の組み込み作業を比較的容易に行うことができる。
【００３６】
また本実施形態は、運転シート１１に座ったオペレータ１０が、第１グリル３８の第１摘み３７を把持して複数の第１フィン３６を上下方向、あるいは左右方向に動かすことにより、また、第２グリル４２の第２摘み４１を把持して複数の第２フィン４０を上下方向、あるいは左右方向に動かすことにより、運転シート１１に座ったオペレータ１０の望むように吹き出される冷風の向きを調整することができる。
【００３７】
また本実施形態は、右前カバー２５に比べて補助カバー３０の高さ寸法を低く設定してあることから、運転シート１１に座ったオペレータ１０の視界に与える悪影響をより確実に防ぐことができる。
【００３９】
また上記実施形態では、補助カバー３０内に収容される第２グリル４２の第２グリルケース３９の長さ寸法を第１グリル３８の第１グリルケース３５の長さ寸法に比べて短く設定してあるが、膝下用吹き出し口３２から吹き出させる風量を大きくしたい場合には、第２グリルケース３９の長さ寸法を例えば第１グリルケース３５の長さ寸法と同程度に長く設定すればよい。また、上記実施形態では、第１グリル３８の第１グリルケース３５の幅寸法を第２グリル４２の第２グリルケース３９の幅寸法よりも小さく設定してあるが、上半身用吹き出し口３１から吹き出させる風量を大きくした場合には、第１グリルケース３５の幅寸法を例えば第２グリルケース３９の幅寸法と同程度に大きく設定すればよい。
【００４０】
また上記実施形態では、熱暑時等における作業を考慮して、空調装置１３で冷風を生成させ、顔面用吹き出し口２６、上半身用吹き出し口３１、及び膝下用吹き出し口３２から冷風を吹き出させるようにしてあるが、寒冷地で作業が行われる場合などにあっては、空調装置１３で温風を生成させ、顔面用吹き出し口２６、上半身用吹き出し口３１、及び膝下用吹き出し口３２から温風を吹き出させるようにしてよいことはもちろんである。
【符号の説明】
【００４１】
１    走行体
２    旋回体
３    作業装置
４    運転室
１０    オペレータ
１０ａ  顔面
１０ｂ  上半身
１０ｃ  膝下部分
１１    運転シート
１３    空調装置
２５    右前カバー
２６    顔面用吹き出し口
２８    ダクト
３０    補助カバー
３１    上半身用吹き出し口
３２    膝下用吹き出し口
３３    アイポイント（視界限界）
３４    右前隅部
３５    第１グリルケース
３６    第１フィン
３７    第１摘み
３８    第１グリル
３９    第２グリルケース
４０    第２フィン
４１    第２摘み
４２    第２グリル
４３    円筒部
【図１】
0005604318.tif 000002
【図２】
0005604318.tif 000003
【図３】
0005604318.tif 000004
【図４】
0005604318.tif 000005